(57)【特許請求の範囲】
【請求項１】
取付用鉛直面８に固着される固定枠４に、第１板状アーム５の一端部を、第１水平軸心Ｌ1 廻りに揺動自在に枢着すると共に、上記固定枠４に、第２板状アーム６の一端縁部を、上記第１水平軸心Ｌ1 よりも下方の第２水平軸心Ｌ2 廻りに揺動自在に枢着し、さらに、吊り戸棚本体３の背面側に上記第１板状アーム５の他端部と第２板状アーム６の他端部を第１・第２枢結軸Ｍ1 ，Ｍ2 によって枢結して、平行四節リンク２を形成し、上記吊り戸棚本体３を上昇させる揺動方向へ上記第２板状アーム６を常時弾発付勢するトーションバー14を、上記第２水平軸心Ｌ2 に沿って水平に配設したことを特徴とする吊り戸棚。
【請求項２】
取付用鉛直面８に固着される固定枠４に、第１板状アーム５の一端部を、第１水平軸心Ｌ1 廻りに揺動自在に枢着すると共に、上記固定枠４に、第２板状アーム６の一端縁部を、上記第１水平軸心Ｌ1 よりも下方の第２水平軸心Ｌ2 廻りに揺動自在に枢着し、さらに、吊り戸棚本体３の背面側に上記第１板状アーム５の他端部と第２板状アーム６の他端部を第１・第２枢結軸Ｍ1 ，Ｍ2 によって枢結して、平行四節リンク２を形成し、上記吊り戸棚本体３を上昇させる揺動方向へ上記第１板状アーム５を常時弾発付勢するトーションバー14を、上記第１水平軸心Ｌ1 に沿って水平に配設したことを特徴とする吊り戸棚。
【請求項３】
トーションバー14が複数枚の帯板状ばね鋼材15…を積層して形成され、上記トーションバー14の中間部が第２板状アーム６又は第１板状アーム５に対して回転不能に保持され、かつ、該トーションバー14の両端部が固定枠４側に初期ねじり角度調整可能に保持されている請求項１又は２記載の吊り戸棚。
【請求項４】
トーションバー14が複数枚の帯板状ばね鋼材15…を積層して形成され、上記トーションバー14の中間部が第２板状アーム６又は第１板状アーム５に対して回転不能に保持され、かつ、該トーションバー14の両端部に、初期ねじり角度を調整する一対の調整アーム22, 22を、間接又は直接に連結して、吊り戸棚本体３の両側面外側に沿って調整アーム22, 22を配設し、さらに、該調整アーム22, 22の揺動角度を変更自在に係止する係止機構23, 23を、設けた請求項１又は２記載の吊り戸棚。
【発明の詳細な説明】
【０００１】
【発明の属する技術分野】
本発明は、吊り戸棚に関する。
【０００２】
【従来の技術】
従来の吊り戸棚としては、例えば、相互に平行な一対のアーム杆の一端を壁面に固着される外箱の内面に枢結し、そのアーム杆の他端を吊り戸棚本体側に枢結して左右一対の平行四節リンクを形成し、さらに、ガススプリング又はコイルスプリングと、そのスプリングの伸びる方向又は縮む方向への弾発力を吊り戸棚本体が上昇する揺動方向への弾発力に変換する滑車やワイヤー等から成る機構と、を外箱内に、設けたものが公知であった。
【０００３】
【発明が解決しようとする課題】
しかし、上述の従来の吊り戸棚では、滑車やワイヤー等から成る機構が複雑となり、製造が困難であった。さらに、吊り戸棚本体を押し上げる力を調整する機構を設けると製造が一層困難であった。しかも、そのような機構やスプリング等を取付けるために、外箱と吊り戸棚本体との間に大きなスペースを設ける必要があり、全体的に大型となるという問題があった。また、左右一対の平行四節リンクのバランスがとり難く、吊り戸棚本体内に収納した物品の重量が左右何れかに偏ると吊り戸棚本体の左右のバランスが悪くなり、傾きやぐらつき等が生じて吊り戸棚本体の昇降をスムースに行うことができないという問題があった。
【０００４】
そこで、本発明は、上述の問題を解決して、構造を簡単とすることができると共に、吊り戸棚本体をスムースに昇降させることができる吊り戸棚を提供することを目的とする。
【０００５】
【課題を解決するための手段】
上述の目的を達成するために、本発明に係る吊り戸棚は、取付用鉛直面に固着される固定枠に、第１板状アームの一端部を、第１水平軸心廻りに揺動自在に枢着すると共に、上記固定枠に、第２板状アームの一端縁部を、上記第１水平軸心よりも下方の第２水平軸心廻りに揺動自在に枢着し、さらに、吊り戸棚本体の背面側に上記第１板状アームの他端部と第２板状アームの他端部を第１・第２枢結軸によって枢結して、平行四節リンクを形成し、上記吊り戸棚本体を上昇させる揺動方向へ上記第２板状アームを常時弾発付勢するトーションバーを、上記第２水平軸心に沿って水平に配設したものである。
【０００６】
また、取付用鉛直面に固着される固定枠に、第１板状アームの一端部を、第１水平軸心廻りに揺動自在に枢着すると共に、上記固定枠に、第２板状アームの一端縁部を、上記第１水平軸心よりも下方の第２水平軸心廻りに揺動自在に枢着し、さらに、吊り戸棚本体の背面側に上記第１板状アームの他端部と第２板状アームの他端部を第１・第２枢結軸によって枢結して、平行四節リンクを形成し、上記吊り戸棚本体を上昇させる揺動方向へ上記第１板状アームを常時弾発付勢するトーションバーを、上記第１水平軸心に沿って水平に配設したものである。
【０００７】
さらに、トーションバーが複数枚の帯板状ばね鋼材を積層して形成され、上記トーションバーの中間部が第２板状アーム又は第１板状アームに対して回転不能に保持され、かつ、該トーションバーの両端部が固定枠側に初期ねじり角度調整可能に保持されている。
【０００８】
また、トーションバーが複数枚の帯板状ばね鋼材を積層して形成され、上記トーションバーの中間部が第２板状アーム又は第１板状アームに対して回転不能に保持され、かつ、該トーションバーの両端部に、初期ねじり角度を調整する一対の調整アームを、間接又は直接に連結して、吊り戸棚本体の両側面外側に沿って調整アームを配設し、さらに、該調整アームの揺動角度を変更自在に係止する係止機構を、設ける。
【０００９】
【発明の実施の形態】
以下、実施の形態を示す図面に基づき、本発明を詳説する。
【００１０】
図１は本発明に係る吊り戸棚の実施の一形態に於ける正面図を示し、図３は戸棚上昇収納状態、図４は戸棚下降状態を、夫々示す。この図１と図３と図４に示すように、本発明の吊り戸棚Ａは、前方開口状の外箱１と、その外箱１に取付けられる平行四節リンク２と、平行四節リンク２を介して外箱１に昇降可能に取付けられる吊り戸棚本体３と、を備える。
【００１１】
外箱１は、壁面Ｗや天井面等に固着される。また、吊り戸棚本体３は、前方開口状であって内部に棚板９…が複数段設けられている。かつ、前方開口部の下端縁部に把手12と上昇収納状態に於て外箱１の下壁部に設けられた凹部に係脱自在に係止するロック用係止部材13とを設ける。さらに、平行四節リンク２は、取付用鉛直面８───即ち外箱１の後壁部内面───に固着される固定枠４と、第１板状アーム５と、第２板状アーム６と、吊り戸棚本体３が取付けられる前リンク部材７と、を備える。
【００１２】
しかして、図１と図２に示すように、第１板状アーム５は、横断面門型の中間板部５ａと、その中間板部５ａの左右両側縁部に延設される横断面Ｌ字状の両側板部５ｂ，５ｂと、から凹凸状に形成される。また、第２板状アーム６も第１板状アーム５と略同一の横断面形状を有し、横断面門型の中間板部６ａと、その中間板部６ａの左右両側縁部に延設される横断面Ｌ字状の両側板部６ｂ，６ｂと、から凹凸波板状に形成される。
【００１３】
また、固定枠４は、一対の角筒状の鉛直部４ａ，４ａを有し、その鉛直部４ａ，４ａの上部に、第１板状アーム５の一端部を、第１水平軸心Ｌ1 廻りに揺動自在に枢着する。また、固定枠４の鉛直部４ａ，４ａの下部に、第２板状アーム６の一端縁部を、第１水平軸心Ｌ1 よりも下方の第２水平軸心Ｌ2 廻りに揺動自在に枢着する。
【００１４】
具体的には、第２板状アーム６の一端縁部に、円筒状枢支部材10, 10を溶着する。さらに、図５の断面図に示すように、円筒状枢支部材10, 10の側外端部を、固定枠４の鉛直部４ａ，４ａの下部に固着される円筒体11, 11に回転自在に挿入する。
【００１５】
さらに、図１と図３と図４に示すように、吊り戸棚本体３の背面側に第１板状アーム５の他端部と第２板状アーム６の他端部を第１・第２枢結軸Ｍ1 ，Ｍ2 によって枢結する。具体的には、吊り戸棚本体３の背面に前リンク部材７，７を固着し、その前リンク部材７，７に、第１板状アーム５の他端部と第２板状アーム６の他端部を枢結する。
【００１６】
しかして、図３と図４と図５に示すように、吊り戸棚本体３を上昇させる揺動方向へ第２板状アーム６を常時弾発付勢するトーションバー14を、第２水平軸心Ｌ2 に沿って水平に配設する。具体的には、図５と図７に示すように、円筒状枢支部材10, 10の内端部に、角孔部16, 16が貫設された保持板17, 17を溶着し、円筒状枢支部材10, 10内にトーションバー14を挿通すると共に、そのトーションバー14の中間部を角孔部16, 16に挿通して円筒状枢支部材10, 10に対して回転不能に保持する。言い換えれば、トーションバー14の中間部を第２板状アーム６に対して回転不能に保持する。
【００１７】
また、トーションバー14は、図５と図６と図７に示すように、複数枚の帯板状ばね鋼材15…を積層して形成される。さらに、そのトーションバー14の両端部を、固定枠４側に初期ねじり角度調整可能に保持する。即ち、円筒状枢支部材10, 10の側外方に、一対の円筒状保持部材18, 18を第２水平軸心Ｌ2 廻りに回転自在に設ける。具体的には、円筒状保持部材18, 18を、固定枠４の鉛直部４ａ，４ａの下部に側外壁部に貫通状に固着された円環体19, 19に回転自在に挿通させると共にその円筒状保持部材18, 18の内端部を前記円筒体11, 11に回転自在に挿入する。
【００１８】
その円筒状保持部材18，18の内端部寄りに、角孔部20，20が貫設された保持壁部21，21を一体に形成する。そして、その角孔部20，20にトーションバー14の両端部を挿通して円筒状保持部材18，18に対して回転不能に保持する。さらに、円筒状保持部材18，18に、初期ねじり角度を調整する一対の調整アーム22, 22を、固着する。つまり、トーションバー14の両端部に、初期ねじり角度を調整する一対の調整アーム22, 22を、（円筒状保持部材18，18等の連結部材を介して）間接に連結する。
【００１９】
その調整アーム22, 22は、（図５の如く）吊り戸棚本体３の両側面外側に沿って配設される。さらに、図１と図３と図４に示すように、調整アーム22, 22の揺動角度を変更自在に係止する係止機構23, 23を、設ける。係止機構23は、外箱１の両側壁部内面に固着されると共に第２水平軸心Ｌ2 を中心とする円弧上に設けられる複数の係止孔部24…を有する係止孔付板25, 25と、調整アーム22, 22の側外面に突設されると共に係止孔部24…に択一的に選択して係脱自在に係止する突部26, 26と、から成る。
【００２０】
上述のように構成したことにより、図３に示した戸棚上昇収納状態に於て、係止部材13を上方へ引いてロックを解除すると共に吊り戸棚本体３の把手12を手で握って前下方へ引けば、第１・第２板状アーム５，６が前下方へ揺動して、図４に示す如く戸棚下降状態とすることができる。即ち、吊り戸棚本体３が、鉛直状態に維持されたまま前下方へ出る。それと共にトーションバー14のねじれが大きくなる。ここで、トーションバー14のねじれを説明すると、自由状態では、図８（ａ）に示す非ねじれ状態となっているのに対し、ねじれた状態では、図８（ｂ）に示すように両端部に対して中間部がねじり角度θの如くねじれて弾性エネルギーを蓄積した状態となる。
【００２１】
また、図４に示した戸棚下降状態から、吊り戸棚本体３を後上方へ押せば、第１・第２板状アーム５，６が後上方へ揺動して、図３に示す如く戸棚上昇収納状態に戻すことができる。このとき、第２板状アーム６が、トーションバー14にて吊り戸棚本体３が後上方へ上昇する揺動方向に弾発付勢されているので、吊り戸棚本体３に種々の物品が収納されていても、軽い力で押し上げることができる。
【００２２】
また、図３と図４に於て、調整アーム22の突部26は、３つの係止孔部24…の内の中間高さの係止孔部24に係止されているが、調整アーム22の傾斜角度（揺動角度）を変更して突部26を上方の係止孔部24に係止させると、トーションバー14の初期のねじれ角が大きくなり、弾発付勢力も大きくなる。これにより、吊り戸棚本体３に収納した物品の重量が大きくても、軽い力で押し上げることができる。また、突部26を下方の係止孔部24に係止させると、トーションバー14の初期のねじれ角が小さくなり、弾発付勢力も小さくなる。これにより、吊り戸棚本体３に収納した物品の重量が小さい場合や何も収納されていない場合に吊り戸棚本体３が下降状態から不意に上昇してしまうのを防止できる。なお、図例では、係止孔部24…が左右に３つずつ設けられているので、合計６段階の弾発力の調整ができる。
【００２３】
しかして、この吊り戸棚によれば、トーションバー14の取付スペースが小さくて済み、無駄なスペースをとることが無く、全体のコンパクト化に貢献できる。しかも、構造を簡単とすることができる。また、調整アーム22, 22の角度の調整により、吊り戸棚本体３の大きさや重量に容易に対応できる。さらに、第１・第２板状アーム５，６により、吊り戸棚本体３をぐらつくこと無くスムースに昇降させることができる。
【００２４】
なお、図示省略したが、吊り戸棚本体３を上昇させる揺動方向へ第１板状アーム５を常時弾発付勢するトーションバー14を、第１水平軸心Ｌ1 に沿って水平に配設してもよい場合がある。その場合、トーションバー14、円筒状枢支部材10、円筒状保持部材18等を第１水平軸心Ｌ1 に沿って配設する。つまり、トーションバー14の中間部を第１板状アーム５に対して回転不能に保持する。
【００２５】
また、本発明の吊り戸棚は、上述の実施の形態以外にも設計変更可能であり、例えば、外箱１を省略して、固定枠４を壁面Ｗに直接固着してもよい場合がある。その場合、壁面Ｗが取付用鉛直面８となる。また、係止孔部24…の数としては、左右に３つずつ以外にも、２つあるいは４〜５つずつとしてもよい。また、係止孔部24の代わりに調整アーム22に係脱自在に係止する突部を設けて係止機構23としてもよい。なお、調整アーム22, 22と係止機構23, 23を省略してもよい場合がある。
【００２６】
【発明の効果】
本発明は上述の如く構成されるので、次に記載する効果を奏する。
【００２７】
請求項１記載の吊り戸棚によれば、吊り戸棚本体３をぐらつくこと無くバランスよくスムースにかつ軽い力で昇降させることができる。また、構造を簡単とすることができ、容易に製造できる。しかも、トーションバー14の取付スペースが小さくて済み、無駄なスペースをとることが無い。
【００２８】
請求項２記載の吊り戸棚によれば、吊り戸棚本体３をぐらつくこと無くバランスよくスムースにかつ軽い力で昇降させることができる。また、構造を簡単とすることができ、容易に製造できる。しかも、トーションバー14の取付スペースが小さくて済み、無駄なスペースをとることが無い。
【００２９】
請求項３記載の吊り戸棚によれば、調整アーム22, 22の角度の調整により、吊り戸棚本体３の大きさや重量に容易に対応できる。
【００３０】
請求項４記載の吊り戸棚によれば、調整アーム22, 22の角度の調整により、吊り戸棚本体３の大きさや重量に容易に対応できる。しかも、角度調整のための構造を簡単とすることができる。
【図面の簡単な説明】
【図１】本発明の実施の一形態を示す正面図である。
【図２】要部平面図である。
【図３】戸棚上昇収納状態の断面側面図である。
【図４】戸棚下降状態の断面側面図である。
【図５】断面平面図である。
【図６】要部拡大断面図である。
【図７】要部拡大断面図である。
【図８】要部作用説明図である。
【符号の説明】
２  平行四節リンク
３  吊り戸棚本体
４  固定枠
５  第１板状アーム
６  第２板状アーム
８  取付用鉛直面
14  トーションバー
15  ばね鋼材
22  調整アーム
23  係止機構
Ｌ1   第１水平軸心
Ｌ2   第２水平軸心
Ｍ1   第１枢結軸
Ｍ2   第２枢結軸
【図１】
0003929166.tif 000002
【図２】
0003929166.tif 000003
【図３】
0003929166.tif 000004
【図４】
0003929166.tif 000005
【図５】
0003929166.tif 000006
【図６】
0003929166.tif 000007
【図７】
0003929166.tif 000008
【図８】
0003929166.tif 000009